(57)【要約】  ディスク装置１−１は、表面に相対移動側突起３３が形成され、裏面に固定側突起２５が入り込む固定側溝３２が形成されたトレイ３と、底部２４に固定側突起２５が形成されたシャーシ２と、天井部に相対移動側突起３３が入り込む相対移動側溝４４が形成されたアッパーケース４を備える。相対移動側突起３３および固定側突起２５は、トレイ３がディスク載置位置からディスク再生位置までを移動する間、相対移動側溝４４および固定側溝３２のそれぞれに入り込んだ状態を維持する。また、相対移動側突起３３は、トレイ３の移動中に、固定側突起２５に対して相対移動する。これにより、移動中のトレイ３の揺れの抑制し、小型化を図ることができる。移動中のトレイの揺れを抑制し、小型化を図ることができる。
2007058167.tif 000002
【特許請求の範囲】
【請求項１】
ディスクに記録された情報の再生あるいは当該ディスクへの情報の記録の少なくともいずれか一方を行うディスク装置（１−１）において、
前記ディスクを載置するディスク載置位置から当該載置されたディスクの再生記録を行うディスク再生位置までを移動するトレイ（３）に形成される相対移動側突起（３３、３５）と、
前記ディスク装置（１−１）のうち、前記相対移動側突起（３３、３５）が入り込み、少なくとも当該相対移動側突起（３３、３５）の当該ディスク装置（１−１）に対する移動範囲に形成される相対移動側溝（４４，２６）と、
前記ディスク装置（１−１）のうち前記トレイ（３）と対向する位置に形成される固定側突起（２５）と、
前記トレイ（３）のうち、前記固定側突起（２５）が入り込み、少なくとも当該トレイ（３）の当該固定側突起（２５）に対する移動範囲に形成される固定側溝（３２）と、
を備えることを特徴とするディスク装置（１−１）。
【請求項２】
前記相対移動側突起（３３）および前記固定側溝（３２）は、前記トレイ（３）の対向する面にそれぞれ形成され、
前記固定側溝（３２）は、前記相対移動側突起（３３）の前記ディスク装置（１−１）に対する移動範囲と、前記ディスク装置（１−１）の厚さ方向において重なる位置に形成されることを特徴とする請求項１に記載のディスク装置（１−１）。
【請求項３】
前記相対移動側突起（３３，３５）は、前記トレイ（３）のディスク載置位置時に、前記固定側突起（２５）よりも、ディスク再生位置側に位置することを特徴とする請求項１または２に記載のディスク装置（１−１）。
【請求項４】
ディスクに記録された情報の再生あるいは当該ディスクへの情報の記録の少なくともいずれか一方を行うディスク装置（１−２）において、
前記ディスク（１−２）を載置するディスク載置位置から当該載置されたディスクの再生記録を行うディスク再生位置までを移動するトレイ（３）に形成される一対の相対移動側ガイド突起（３７ａ、３７ｂ）と、
前記ディスク装置（１−２）のうち、前記一対の相対移動側ガイド突起（３７ａ、３７ｂ）が挟み込み、少なくとも当該一対の相対移動側ガイド突起（３７ａ、３７ｂ）の当該ディスク装置（１−２）に対する移動範囲に形成される相対移動側リブ４５と、
前記ディスク装置（１−２）のうち前記トレイ（３）と対向する位置に形成される一対の固定側ガイド突起（２７ａ、２７ｂ）と、
前記トレイ（３）のうち、前記一対の固定側ガイド突起（２７ａ、２７ｂ）が挟み込み、少なくとも当該トレイ（３）の当該一対の固定側ガイド突起（２７ａ、２７ｂ）に対する移動範囲に形成される固定側リブ（３６）と、
を備えることを特徴とするディスク装置（１−２）。
【発明の詳細な説明】
【技術分野】
【０００１】
本発明は、ディスク装置に関し、さらに詳しくは、ディスクをトレイにより、ディスク装置に搬出入するディスク装置に関するものである。
【背景技術】
【０００２】
ディスク装置には、ディスク載置位置に位置するトレイにディスクを載置し、このディスクが載置されたトレイを載置位置からディスク再生位置まで移動させることで、ディスクをディスク装置に搬入するものがある。このような、トレイによりディスクを搬入するディスク装置では、トレイが載置位置からディスク再生位置まで移動する際に、ディスク装置の幅方向に傾くあるいはずれることを抑制する必要がある。そこで、従来のディスク装置では、突起とこの突起が入り込む溝が、トレイとディスク装置との間に設けられている。【０００３】
例えば、特許文献１に示すように、トレイの両側面にこのトレイの移動方向に延在してそれぞれ形成された溝と、ディスク装置、ここではトレイと対向するフレームに、この溝と対向する位置にそれぞれ形成された複数の第１のガイド片、ガイド突部とを備えるディスク装置がある。この特許文献１に示すディスク装置では、トレイがディスク載置位置に位置した時、各溝には、ガイド突部が入り込んだ状態となる。そして、トレイがディスク載置位置からディスク再生位置まで移動する際に、複数の第１のガイド片が順次に各溝に入り込むものである。【０００４】
【特許文献１】特開２００３−２９６９９５号公報
【発明の開示】
【発明が解決しようとする課題】
【０００５】
ところで、トレイによりディスクを搬入するディスク装置には、カートリッジに格納されていないディスク（以下、いずれのディスクも単に「ディスク」と称する）のみならず、カートリッジに格納されているディスクに記録された情報の再生あるいは当該ディスクへの情報の記録の少なくともいずれか一方を行うものがある。このようなカートリッジ対応型のディスク装置では、ディスク載置位置に位置するトレイにカートリッジを載置し、このトレイをディスク載置位置からディスク再生位置まで移動することで、カートリッジをディスク装置に搬入する。【０００６】
このようなカートリッジ対応型のディスク装置では、カートリッジが載置されたトレイがディスク再生位置に位置する際に、このカートリッジのシャッターをトレイに摺動自在に支持されたスライド部材により開け、カートリッジに収納されているディスクを外部に露出させる必要がある。このシャッターは、スプリングによりこのシャッターを閉じる方向に付勢力が作用している。従って、スライド部材は、この付勢力に対向してシャッターを開けることとなる。【０００７】
このスライド部材は、トレイの移動に連動して、例えば、このスライド部材と、スライド部材に対向するディスク装置の内壁面との間に配置されたカム機構により摺動するものである。従って、スライド部材によりシャッターが開かれる際には、このシャッターに作用する付勢力により、移動中のトレイが傾く虞がある。これにより、従来のディスク装置では、上記複数の第１のガイド片が順次に各溝に入り込み難くなり、各溝が各第１のガイド片に入り込む際の衝撃がトレイに伝達され、移動中のトレイが揺れるという問題があった。また、トレイが移動中に傾くことで、複数の第１のガイド片が各溝に入り込むまでに、この複数の第１のガイド片の周辺に設けられた部品と衝突し、移動中のトレイが揺れるという問題があった。【０００８】
また、従来のディスク装置では、ガイド片やガイド突部など、各溝に入り込む複数の突起が必要である。従って、ディスク装置内にこの複数の突起を形成するためのスペースを形成する必要があり、ディスク装置の小型化を図ることができないという問題もあった。【０００９】
この発明は、上述した課題をその一例として解決するものであって、移動中のトレイの揺れの抑制する、あるいは小型化を図ることの少なくともいずれか一方を達成することができるディスク装置を提供することを目標とする。
【課題を解決するための手段】
【００１０】
本発明の請求項１に記載のディスク装置は、ディスクに記録された情報の再生あるいは当該ディスクへの情報の記録の少なくともいずれか一方を行うディスク装置において、前記ディスクを載置するディスク載置位置から当該載置されたディスクの再生記録を行うディスク再生位置までを移動するトレイに形成される相対移動側突起と、前記ディスク装置のうち、前記相対移動側突起が入り込み、少なくとも当該相対移動側突起の当該ディスク装置に対する移動範囲に形成される相対移動側溝と、前記ディスク装置のうち前記トレイと対向する位置に形成される固定側突起と、前記トレイのうち、前記固定側突起が入り込み、少なくとも当該トレイの当該固定側突起に対する移動範囲に形成される固定側溝と、を備えることを特徴とする。【００１１】
また、本発明の請求項４に記載のディスク装置は、ディスクに記録された情報の再生あるいは当該ディスクへの情報の記録の少なくともいずれか一方を行うディスク装置において、前記ディスクを載置するディスク載置位置から当該載置されたディスクの再生記録を行うディスク再生位置までを移動するトレイに形成される一対の相対移動側ガイド突起と、前記ディスク装置のうち、前記一対の相対移動側ガイド突起が挟み込み、少なくとも当該一対の相対移動側ガイド突起の当該ディスク装置に対する移動範囲に形成される相対移動側リブと、前記ディスク装置のうち前記トレイと対向する位置に形成される一対の固定側ガイド突起と、前記トレイのうち、前記一対の固定側ガイド突起が挟み込み、少なくとも当該トレイの当該一対の固定側ガイド突起に対する移動範囲に形成される固定側リブと、を備えることを特徴とする。
【発明の効果】
【００１２】
本発明にかかるディスク装置は、移動中のトレイの揺れの抑制する、あるいは小型化を図ることの少なくともいずれか一方を達成することができるという効果を奏する。
【図面の簡単な説明】
【００１３】
【図１−１】図１−１は、この実施例１にかかるディスク装置の要部断面図である。
【図１−２】図１−２は、図１−１のＡ部分拡大図である。
【図２−１】図２−１は、シャーシの構成例を示す図（平面図）である。
【図２−２】図２−２は、シャーシの構成例を示す図（正面図）である。
【図３−１】図３−１は、トレイの構成例（平面図）を示す図である。
【図３−２】図３−２は、図３−１のＢ−Ｂ断面図である。
【図４−１】図４−１は、アッパーケースの構成例（裏面図）を示す図である。
【図４−２】図４−２は、図４−１のＣ−Ｃ断面図である。
【図５】図５は、ディスク載置位置時におけるディスク装置の構成例を示す図である。
【図６】図６は、ディスク再生位置時におけるディスク装置の構成例を示す図である。
【図７−１】図７−１は、シャーシの構成例を示す図（平面図）である。
【図７−２】図７−２は、シャーシの構成例を示す図（正面図）である。
【図７−３】図７−３は、相対移動側溝の断面図を示す図である。
【図８−１】図８−１は、トレイの構成例（平面図）を示す図である。
【図８−２】図８−２は、１図８−１のＤ−Ｄ断面図である。
【図９−１】図９−１は、この実施例２にかかるディスク装置の要部断面図である。
【図９−２】図９−２は、図９−１のＥ部分拡大図である。
【図１０−１】図１０−１は、シャーシの構成例を示す図（平面図）である。
【図１０−２】図１０−２は、シャーシの構成例を示す図（正面図）である。
【図１１−１】図１１−１は、トレイの構成例（平面図）を示す図である。
【図１１−２】図１１−２は、図１１−１のＦ−Ｆ断面図である。
【図１２−１】図１２−１は、アッパーケースの構成例（裏面図）を示す図である。
【図１２−２】図１２−２は、図１２−１のＧ−Ｇ断面図である。
【符号の説明】
【００１４】
１−１，１−２  ディスク装置
２  シャーシ
２１  搭載空間部
２２ａ〜ｄ  位置決めピン
２３ａ〜ｄ  固定穴
２４  底部
２５  固定側突起
２６  相対移動側溝
２７ａ，ｂ  固定側ガイド突起
３  トレイ
３ａ  裏面
３ｂ  表面
３１  載置部
３１ａ，３１ｂ  載置用凹部
３１ｃ  位置決めピン
３２  固定側溝
３３  相対移動側突起
３４  スライド部材
３５  相対移動側突起
３６  固定側リブ
３７ａ，ｂ  相対移動側ガイド突起
４  アッパーケース
４１  天井部
４２ａ〜ｄ  位置決め孔
４３ａ〜ｄ  固定穴
４４  相対移動側溝
４５  相対移動側リブ
【発明を実施するための最良の形態】
【００１５】
以下、この発明につき図面を参照しつつ詳細に説明する。なお、下記実施の形態および実施例によりこの発明が限定されるものではない。また、下記実施の形態および実施例における構成要素には、当業者が容易に想定できるもの或いは実質的に同一のものが含まれる。なお、下記の実施例では、カートリッジに収納されたディスクおよびカートリッジに収納されていないディスクのいずれかに記録された情報の再生あるいはいずれかのディスクへの情報の記録を行うことができるディスク装置について説明するが、これに限定されるものではない。例えば、カートリッジに収納されていないディスクのみに記録された情報の再生あるいはこのディスクへの情報の記録を行うことができるディスク装置であっても良い。【００１６】
〔実施の形態１〕
この実施の形態１に係るディスク装置は、ディスクに記録された情報の再生あるいは当該ディスクへの情報の記録の少なくともいずれか一方を行い、相対移動側突起と、相対移動側溝と、固定側突起と、固定側溝とを備える。ここで、相対移動側突起および相対移動側溝、固定側突起および固定側溝は、それぞれ突起と溝とからなるスライド機構を構成する。相対移動側突起は、ディスクを載置するディスク載置位置からこの載置されたディスクの再生記録を行うディスク再生位置までを移動するトレイに形成される。相対移動側溝は、ディスク装置のうち、相対移動側突起に入り込み、少なくともこの相対移動側突起のこのディスク装置に対する移動範囲に形成される。固定側突起は、ディスク装置のうちトレイと対向する位置に形成される。固定側溝は、トレイのうち、固定側突起が入り込み、少なくともこのトレイのうちこの固定側突起に対向する移動範囲に形成される。【００１７】
この実施の形態１に係るディスク装置では、上記構成を特徴とすることで、相対移動側突起は、トレイの移動中に、相対移動側溝に入り込んだ状態を維持し、この相対移動側溝に対してトレイの移動方向に移動する。また、固定側突起は、トレイの移動中に、固定側溝に入り込んだ状態を維持し、この固定側溝がこの固定側突起に対してトレイの移動方向に移動する。つまり、トレイがディスク載置位置からディスク再生位置まで移動する間に、相対移動側突起は、固定側突起に対して相対移動し離れる。従って、トレイの移動中にトレイは、常に、２点でディスク装置の幅方向への移動が規制される。これにより、トレイの移動中に、突起が溝に入り込むことがない。また、トレイが移動中に傾くことが抑制され、トレイの相対移動側突起および固定側溝がディスク装置内に設けられた部品と衝突することが抑制される。これらにより、移動中のトレイの揺れを抑制することができる。【００１８】
また、この実施の形態１に係るディスク装置では、相対移動側突起と相対移動側溝、固定側突起と固定側溝の２つのスライド機構により、ディスク装置の幅方向への移動を規制することができる。従って、従来のディスク装置のように、溝に入り込む複数の突起を必要としないので、ディスク装置の小型化を図ることができる。【００１９】
〔実施の形態２〕
この実施の形態２に係るディスク装置は、上記実施の形態１に係るディスク装置において、相対移動側突起および固定側溝は、トレイの対向する面にそれぞれ形成される。この固定側溝は、相対移動側突起のディスク装置に対する移動範囲と、ディスク装置の厚み方向において重なる位置に形成される。【００２０】
この実施の形態２に係るディスク装置では、上記構成を特徴とすることで、トレイがディスク載置位置からディスク再生位置まで移動する間に、固定側突起が、常に相対移動側突起のディスク装置に対する移動範囲上位置することとなる。従って、トレイがディスク載置位置からディスク再生位置まで移動する間に、相対移動側突起と固定側突起とが同一直線上にない場合と比較して、このトレイがディスク装置の幅方向に傾くことを抑制することができる。これにより、移動中のトレイの揺れをさらに抑制することができる。【００２１】
〔実施の形態３〕
この実施の形態３に係るディスク装置は、上記実施の形態１または２に係るディスク装置において、相対移動側突起が、トレイのディスク載置位置時に、固定側突起よりも、ディスク再生位置側に位置する。【００２２】
この実施の形態３に係るディスク装置では、上記構成を特徴とすることで、トレイの移動中に、相対移動側突起が固定側突起とディスク装置の厚さ方向において重なり合うことがない。従って、トレイの移動中に相対移動側突起が固定側突起とディスク装置の厚さ方向において重なり合うことで、このトレイがディスク装置の幅方向に大きく傾くことを抑制することができる。これにより、移動中のトレイの揺れをさらに抑制することができる。【００２３】
〔実施の形態４〕
この実施の形態４に係るディスク装置は、ディスクに記録された情報の再生あるいは当該ディスクへの情報の記録の少なくともいずれか一方を行い、一対の相対移動側ガイド突起と、相対移動側リブと、一対の固定側ガイド突起と、固定側リブとを備える。ここで、一対の相対移動側ガイド突起および相対移動側リブ、一対の固定側ガイド突起および固定側リブは、それぞれ一対のガイド突起とリブとからなるスライド機構を構成する。一対の相対移動側ガイド突起は、ディスクを載置するディスク載置位置からこの載置されたディスクの再生記録を行うディスク再生位置までを移動するトレイに形成される。相対移動側リブは、ディスク装置のうち、一対の相対移動側ガイド突起に挟み込まれ、少なくともこの一対の相対移動側ガイド突起のこのディスク装置に対する移動範囲に形成される。固定側ガイド突起は、ディスク装置のうちトレイと対向する位置に形成される。固定側リブは、トレイのうち、一対の固定側ガイド突起に挟み込まれ、少なくともこのトレイのうちこの一対の固定側ガイド突起に対向する移動範囲に形成される。【００２４】
この実施の形態４に係るディスク装置では、上記構成を特徴とすることで、一対の相対移動側ガイド突起は、トレイの移動中に、相対移動側リブを挟み込んだ状態を維持し、この相対移動側リブに対してトレイの移動方向に移動する。また、一対の固定側ガイド突起は、トレイの移動中に、固定側リブを挟み込んだ状態を維持し、この固定側リブがこの一対の固定側ガイド突起に対してトレイの移動方向に移動する。つまり、トレイがディスク載置位置からディスク再生位置まで移動する間に、一対の相対移動側ガイド突起は、一対の固定側ガイド突起に対して相対移動し離れる。従って、トレイの移動中にトレイは、常に、２点でディスク装置の幅方向への移動が規制される。これにより、トレイの移動中に、ガイド突起に挟み込まれていないリブがガイド突起に挟み込まれることがない。また、トレイが移動中に傾くことが抑制され、相対移動側リブおよび固定側リブがディスク装置内に設けられた部品と衝突することが抑制される。これらにより、移動中のトレイの揺れを抑制することができる。【００２５】
また、この実施の形態４に係るディスク装置では、一対の相対移動側ガイド突起と相対移動側リブ、一対の固定側ガイド突起と固定側リブの２つのスライド機構により、ディスク装置の幅方向への移動を規制することができる。従って、従来のディスク装置のように、リブを挟み込む一対のガイド突起を複数対必要としないので、ディスク装置の小型化を図ることができる。
【実施例１】
【００２６】
図１−１および図１−２は、この実施例１にかかるディスク装置の要部断面図である。図２−１および図２−２は、シャーシの構成例を示す図である。図３−１および図３−２は、トレイの構成例を示す図である。図４−１および図４−２は、アッパーケースの構成例を示す図である。図５は、ディスク載置位置時におけるディスク装置の構成例を示す図である。図６は、ディスク再生位置時におけるディスク装置の構成例を示す図である。この実施例１では、カートリッジに格納されているディスクおよびカートリッジに格納されていないディスクのいずれをも搬入することができるトレイを備え、搬入されたカートリッジに格納されているディスクおよびカートリッジに格納されていないディスクのいずれかに記録された情報の再生および当該ディスクへの情報の記録を行うことができるディスク装置について説明する。なお、この発明はこれに限定されるものではなく、ディスクを搬入することができるトレイを備え、搬入されたカートリッジに格納されているディスクに記録された情報の再生あるいは当該ディスクへの情報の記録の少なくともいずれか一方を行うことができるディスク装置であれば良い。なお、ここでいうディスクは、ＤＶＤ（Digital Versatile Disk）、ＣＤ（Compact Disk）、ＢＤ（Blue-ray Disk）、ＨＤＤＶＤ（High Definition Digital Versatile Disk）などの光ディスクを含むものである。【００２７】
図１−１および図１−２に示すように、このディスク装置１−１は、シャーシ２と、トレイ３と、アッパーケース４とを備えるものである。このトレイ３は、シャーシ２とアッパーケース４との間に、図示しないディスクを載置するディスク載置位置からこの載置されたディスクの再生記録を行うディスク再生位置までを移動可能に収納されている。【００２８】
シャーシ２は、図２−１および図２−２に示すように、内部に形成された搭載空間部２１にディスク装置１−１を構成する種々の部品を搭載するものである。なお、この搭載空間部２１には、上記部品のみならず、ディスク再生位置に位置した時のトレイ３が収納される。このシャーシ２に搭載される種々の部品としては、例えば、トレイ３をディスク載置位置からディスク再生位置までを移動させるトレイ移動手段、例えば図示しない駆動モータや、トレイ３の移動に連動して、昇降する図示しないトラバースメカがある。【００２９】
なお、このトラバースメカには、例えばターンテーブルなどの図示しないカートリッジに格納されたディスクあるいはカートリッジに収納されていないディスクをクランプするディスククランプ手段や、例えばディスク回転用モータなどのターンテーブルにクランプされたこれらのディスクを回転させるディスク回転手段や、例えばピックアップなどのこれらのディスクに記録された情報の読み込みおよびこれらのディスクへの情報の書き込みを行う再生記録手段などが搭載されている。なお、図示しないトレイ移動手段、ディスク回転手段、再生記録手段などの制御は、図示しない制御装置により行われる。【００３０】
また、シャーシ２は、アッパーケース４の位置決めを行う４つの位置決めピン２２ａ〜ｄが形成されている。また、シャーシ２は、このシャーシ２をアッパーケース４とともに、ディスク装置１−１を搭載する電子機器に固定するための固定穴２３ａ〜ｄが形成されている。【００３１】
また、シャーシ２には、このシャーシ２の底部２４から搭載空間部２１に向かって固定側突起２５が突出して形成されている。つまり、この固定側突起２５は、ディスク装置１−１のうちトレイ３と対向する位置に形成されている。また、固定側突起２５は、そのディスク装置１−１の幅方向における幅が、トレイ３の後述する固定側溝３２のディスク装置１−１の幅方向における幅よりも若干短くなるように設定されている。また、固定側突起２５は、シャーシ２の底部２４のうち、ディスク再生位置からディスク載置位置に向かう方向、すなわち搬出方向の端部近傍に形成されている。また、固定側突起２５は、シャーシ２の底部２４のうち、シャーシ２の両側面のうち一方の側面側（図２−１および図２−２では、右側）に形成されている。【００３２】
トレイ３は、ディスク載置位置（図６参照）からディスク再生位置（図５参照）までを移動するものである。このトレイ３は、シャーシ２に形成された図示しない複数のガイド部材により、ディスク載置位置からディスク再生位置までを移動可能に支持されている。なお、このトレイ３の移動は、上記図示しないトレイ移動手段により行われる。つまり、図示しないトレイ移動手段は、トレイ３をディスク装置１−１に搬入する際に、このトレイ３をディスク載置位置からディスク再生位置まで移動させ、トレイ３をディスク装置１−１から搬出する際に、このトレイ３をディスク再生位置からディスク載置位置まで移動するものである。【００３３】
トレイ３は、図３−１および図３−２に示すように、ほぼ中央部に、載置部３１が形成されている。この載置部３１は、ディスクが収納された図示しないカートリッジを載置することができる面積を有している。また、この載置部３１には、カートリッジに収納されていないディスクを載置するための載置用凹部３１ａ，３１ｂが形成されている。なお、載置用凹部３１ａには、直径が大きいディスク（１２ｃｍのディスク）を載置することができ、載置用凹部３１ｂには、直径が小さいディスク（例えば、８ｃｍのディスク）を載置することができる。なお、３１ｃは、載置部３１に図示しないカートリッジが載置された際に、この図示しないカートリッジの位置決め穴に挿入される位置決めピンである。【００３４】
このトレイ３の一方の面、ここではシャーシ２の底部２４と対向する裏面３ａに、この裏面３ａに開口する固定側溝３２が形成されている。この固定側溝３２は、上記シャーシ２に形成された固定側突起２５と対向するようにトレイ３に形成されている。この固定側溝３２は、トレイ３がディスク載置位置からディスク再生位置までを移動しても、固定側突起２５と対向するように、トレイ３の搬送方向（搬入方向および搬出方向の両方向）に延在して形成されている。つまり、この固定側溝３２は、少なくともトレイ３の固定側突起２５に対する移動範囲に形成されている。【００３５】
このトレイ３の他方の面、ここではアッパーケース４の後述する天井部４１と対向する表面３ｂに、この表面３ｂからアッパーケース４に向かって相対移動側突起３３が突出して形成されている。つまり、この相対移動側突起３３は、ディスク装置１−１、ここではアッパーケース４と対向する位置に形成されている。この相対移動側突起３３は、直径がアッパーケース４の後述する相対移動側溝４４のディスク装置１−１の幅方向における幅の長さよりも若干小さくなるように設定されている。また、相対移動側突起３３は、トレイ３の表面３ｂのうち、ディスク載置位置からディスク再生位置に向かう方向、すなわち搬入方向の端部近傍に形成されている。また、相対移動側突起３３は、トレイ３の表面３ｂのうち、トレイ３の両側面のうち一方の側面側（図３−１および図３−２では、右側）に形成されている。つまり、相対移動側突起３３と固定側溝３２とは、トレイ３の対向する面、すなわち表面３ｂと裏面３ａとにそれぞれ形成されている。なお、３４は、図示しないカートリッジのシャッターを開き、カートリッジに収納されたディスクをカートリッジの外部に露出させるスライド部材である。このスライド部材３４は、トレイ３の動作に連動して、トレイ３の移動方向と直行する方向、ここでは、ディスク装置１の幅方向（図３−１および図３−２の左右方向）に摺動するものである。【００３６】
アッパーケース４は、図４−１および図４−２に示すように、シャーシ２に被されるものであり、搭載空間部２１を覆うものである。アッパーケース４は、トレイ３と対向する天井部４１にシャーシ２の４つの位置決めピン２２ａ〜ｄにそれぞれ対向する位置決め孔４２ａ〜ｄが形成されている。また、このアッパーケース４は、このアッパーケース４をシャーシ２とともに、ディスク装置１−１を搭載する電子機器に固定するための固定穴４３ａ〜ｄが形成されている。【００３７】
また、アッパーケース４は、この天井部４１に開口する相対移動側溝４４が形成されている。この相対移動側溝４４は、上記トレイ３に形成された相対移動側突起３３と対向するようにアッパーケース４に形成されている。この相対移動側溝４４は、トレイ３がディスク載置位置からディスク再生位置までを移動しても、相対移動側突起３３と対向するように、トレイ３の搬送方向（搬入方向および搬出方向の両方向）に延在して形成されている。つまり、この相対移動側溝４４は、少なくとも相対移動側突起３３のディスク装置１−１、ここではアッパーケース４に対する移動範囲に形成されている。【００３８】
次に、ディスク装置１−１を組み立てについて説明する。まず、シャーシ２に例えば図示しないトレイ移動手段やトラバースメカを搭載する。次に、トレイ３をシャーシ２の図示しない複数のガイド部材により搬送方向に移動自在に支持する。次に、このトレイ３がシャーシ２に支持された状態で、シャーシ２の位置決めピン２２ａ〜ｄにアッパーケース４の位置決め孔４２ａ〜ｄをそれぞれ挿入し、シャーシ２に対するアッパーケース４の位置決めを行う。このとき、アッパーケース４の図示しない係止突起がシャーシ２の図示しない係止溝に挿入され、アッパーケース４がシャーシ２に対して係止され、この状態でディスク装置１−１の組立は完了する。なお、この組み立てられたディスク装置１−１は、シャーシ２の固定穴２３ａ〜ｄおよびアッパーケース４の固定穴４３ａ〜ｄを介して、図示しないネジなどの固定手段により電子機器に対して固定される。【００３９】
ディスク装置１−１が組み立てられた状態では、図１−１および図１−２に示すように、トレイ３の固定側溝３２にシャーシ２の固定側突起２５が入り込み、アッパーケース４の相対移動側溝４４にトレイ３の相対移動側突起３３が入り込む。つまり、相対移動側突起３３および相対移動側溝４４、固定側突起２５および固定側溝３２は、それぞれ突起と溝とからなるスライド機構を構成し、ディスク装置１−１には２つのスライド機構が形成される。【００４０】
次に、トレイ３のディスク載置位置時およびディスク再生位置時におけるディスク装置１−１の状態について説明する。まず、図５に示すように、トレイ３がディスク載置位置に位置する時、トレイ３は、その大部分がディスク装置１−１の外部に位置することとなる。このとき、固定側突起２５および相対移動側突起３３がそれぞれ固定側溝３２および相対移動側溝４４に入り込んだ状態が維持される。ここで、相対移動側突起３３がトレイ３の搬入方向の端部近傍に形成され、固定側突起２５がシャーシの搬出方向の端部近傍に形成されている。つまり、このトレイ３がディスク載置位置に位置する時には、相対移動側突起３３が固定側突起２５よりもディスク再生位置側に位置する。従って、トレイ３の移動中、すなわちディスク載置位置からディスク再生位置までを移動する際に、相対移動側突起３３が固定側突起２５とディスク装置１−１の厚さ方向（図１−１参照）において重なり合うことがない。これにより、トレイ３の移動中に相対移動側突起３３が固定側突起２５とディスク装置１−１の厚さ方向において重なり合うことで、このトレイ３がディスク装置１−１の幅方向に大きく傾くことを抑制することができる。これにより、移動中のトレイ３の揺れを抑制することができる。【００４１】
次に、トレイ３がディスク載置位置から移動ディスク再生位置に向かって移動時、すなわちトレイ３の移動中は、固定側突起２５に対して固定側溝３２がこの固定側突起２５が入り込んだ状態のままトレイ３の搬入方向に移動する。また、相対移動側溝４４に対して相対移動側突起３３がこの相対移動側溝４４に入り込んだ状態のままトレイ３の搬入方向に移動する。つまり、トレイ３の移動中においても、固定側突起２５および相対移動側突起３３がそれぞれ固定側溝３２および相対移動側溝４４に入り込んだ状態が維持される。このとき、相対移動側突起３３は、トレイ３の移動に伴って固定側突起２５に対して相対移動する。トレイ３が搬入方向への移動する際には、トレイ３がディスク載置位置からディスク再生位置まで移動する間に、相対移動側突起３３がトレイ３の移動に伴って固定側突起２５に対して離れる。また、トレイ３が搬出方向への移動する際には、トレイ３がディスク再生位置からディスク載置位置まで移動する間に、相対移動側突起３３がトレイ３の移動に伴って固定側突起２５に対して近づく。【００４２】
そして、トレイ３がディスク載置位置からディスク再生位置に位置する時、トレイ３は、ディスク装置１−１に収納される。このとき、固定側突起２５および相対移動側突起３３がそれぞれ固定側溝３２および相対移動側溝４４に入り込んだ状態は維持される。従って、トレイ３の移動中にトレイ３は、常に、２点でディスク装置１−１の幅方向への移動が規制される。これにより、トレイ３の移動中に、突起が溝に入り込むことがない。また、トレイ３が移動中に傾くことが抑制され、このトレイ３の相対移動側突起３３および固定側溝３２がディスク装置１−１内に設けられた部品と衝突することが抑制される。これらにより、移動中のトレイ３の揺れを抑制することができる。【００４３】
また、このディスク装置１−１では、相対移動側突起３３と相対移動側溝４４、固定側突起２５と固定側溝３２の２つのスライド機構により、幅方向への移動を規制することができる。従って、従来のディスク装置のように、溝に入り込む複数の突起を必要としないので、ディスク装置１−１の小型化を図ることができる。【００４４】
また、上記実施例１にかかるディスク装置１−１では、トレイ３の相対移動側突起３３と固定側溝３２とがディスク装置１−１の両側面うち同一側面側に形成されているが、この発明はこれに限定されるものではない。例えば、相対移動側突起３３がトレイ３の両側面のうち一方の側面側に形成され、固定側溝３２が他方の側面側に形成されていても良い。つまり、相対移動側突起３３と固定側突起２５とがディスク装置１−１の両側面にそれぞれ形成されていても良い。【００４５】
また、上記実施例１にかかるディスク装置１−１では、相対移動側突起３３と固定側溝３２とがディスク装置１−１の両側面うち同一側面側に形成されているが、さらに好ましくは、固定側溝３２は、相対移動側突起３３のディスク装置１−１に対する移動範囲と、ディスク装置１−１の厚さ方向において重なる位置に形成されることが好ましい（図１−１、図５および図６参照）。これにより、トレイ３がディスク載置位置からディスク再生位置まで移動する間に、固定側突起２５が、常に相対移動側突起３３のディスク装置１−１に対する移動範囲上位置することとなる。従って、トレイ３がディスク載置位置からディスク再生位置まで移動する間に、相対移動側突起３３と固定側突起２５とが同一直線上にない場合と比較して、このトレイ３がディスク装置１−１の幅方向に傾くことを抑制することができる。これにより、移動中のトレイ３の揺れをさらに抑制することができる。【００４６】
また、上記実施例１にかかるディスク装置１−１では、相対移動側突起３３と固定側溝３２とがトレイ３の対向する面、すなわち表面３ｂと裏面３ａとにそれぞれ形成されているが、この発明はこれに限定されるものではない。図７−１〜図７−３は、シャーシの構成例を示す図である。図８−１および図８−２は、トレイの構成例を示す図である。【００４７】
図８−１および図８−２に示すように、トレイ３の一方の面、ここでは裏面３ａに固定側溝３２と相対移動側突起３５とを形成しても良い。この場合、シャーシ２には、図７−１〜図７−３に示すように、この相対移動側突起３５が入り込む相対移動側溝２６を形成する。【００４８】
以上のように、この実施例１にかかるディスク装置１−１は、ディスクに記録された情報の再生およびこのディスクへの情報の記録を行うディスク装置１−１において、ディスクを載置するディスク載置位置からこの載置されたディスクの再生記録を行うディスク再生位置までを移動するトレイ３に形成される相対移動側突起３３と、相対移動側突起３３が入り込み、ディスク装置１−１のうちアッパーケース４の相対移動側突起３３のこのディスク装置１−１に対する移動範囲に形成される相対移動側溝４４と、ディスク装置１−１のうちシャーシ２のトレイ３と対向する位置に形成される固定側突起２５と、固定側突起２５が入り込み、トレイ３のうち、このトレイ３の固定側突起２５に対する移動範囲に形成される固定側溝３２とを備えることで、移動中のトレイ３の揺れを抑制することができ、小型化を図ることができる。
【実施例２】
【００４９】
次に、実施例２にかかるディスク装置１−２について説明する。図９−１および図９−２は、この実施例２にかかるディスク装置の要部断面図である。図１０−１および図１０−２は、シャーシの構成例を示す図である。図１１−１および図１１−２は、トレイの構成例を示す図である。図１２−１および図１２−２は、アッパーケースの構成例を示す図である。図９−１〜図１２−２に示す実施例２にかかるディスク装置１−２が図１−１〜図６に示す実施例１にかかるディスク装置１−１と異なる点は、突起が溝に入り込む構成であるスライド機構の代わりに、リブが一対のガイド突起の間に挟み込まれる固定であるスライド機構を用いた点である。なお、この実施例２にかかるディスク装置１−２の基本的構成のうち、実施例１にかかるディスク装置１−１の基本的構成と同一部分（図１−１〜図６と図９−１〜図１２−２において同一符号部分）は、簡略化あるいは省略して説明する。【００５０】
シャーシ２には、図１０−１および図１０−２に示すように、このシャーシ２の底部２４から搭載空間部２１に向かって一対の固定側ガイド突起２７ａ，ｂが突出して形成されている。つまり、この一対の固定側ガイド突起２７ａ，ｂは、ディスク装置１−２のうちトレイ３と対向する位置に形成されている。また、一対の固定側ガイド突起２７ａ，ｂは、そのディスク装置１−２の幅方向における間隔が、トレイ３の後述する固定側リブ３６のディスク装置１−２の幅方向における幅よりも若干長くなるように設定されている。また、一対の固定側ガイド突起２７ａ，ｂは、シャーシ２の底部２４のうち、ディスク再生位置からディスク載置位置に向かう方向、すなわち搬出方向の端部近傍に形成されている。また、一対の固定側ガイド突起２７ａ，ｂは、シャーシ２の底部２４のうち、シャーシ２の両側面のうち一方の側面側（図１０−１および図１０−２では、右側）に形成されている。【００５１】
トレイ３は、図１１−１および図１１−２に示すように、その一方の面、ここでは裏面３ａに、このトレイ３に向かって固定側リブ３６が突出して形成されている。この固定側リブ３６は、上記シャーシ２に形成された一対の固定側ガイド突起２７ａ，ｂと対向するようにトレイ３に形成されている。この固定側リブ３６は、トレイ３がディスク載置位置からディスク再生位置までを移動しても、固定側ガイド突起２７ａ，ｂと対向するように、トレイ３の搬送方向（搬入方向および搬出方向の両方向）に延在して形成されている。つまり、この固定側リブ３６は、少なくともトレイ３の一対の固定側ガイド突起２７ａ，ｂに対する移動範囲に形成されている。【００５２】
このトレイ３の他方の面、ここでは表面３ｂに、この表面３ｂからアッパーケース４に向かって一対の相対移動側ガイド突起３７ａ，ｂが突出して形成されている。つまり、この一対の相対移動側ガイド突起３７ａ，ｂは、ディスク装置１−２、ここではアッパーケース４と対向する位置に形成されている。この一対の相対移動側ガイド突起３７ａ，ｂは、そのディスク装置１−２の幅方向における間隔がアッパーケース４の後述する相対移動側リブ４５のディスク装置１−２の幅方向における幅の長さよりも若干長くなるように設定されている。また、一対の相対移動側ガイド突起３７ａ，ｂは、トレイ３の表面３ｂのうち、ディスク載置位置からディスク再生位置に向かう方向、すなわち搬入方向の端部近傍に形成されている。また、一対の相対移動側ガイド突起３７ａ，ｂは、トレイ３の表面３ｂのうち、トレイ３の両側面のうち一方の側面側（図１１−１および図１１−２では、右側）に形成されている。つまり、一対の相対移動側ガイド突起３７ａ，ｂと固定側リブ３６とは、トレイ３の対向する面、すなわち表面３ｂと裏面３ａとにそれぞれ形成されている。【００５３】
アッパーケース４は、図１２−１および図１２−２に示すように、天井部４１にトレイ３に向かって相対移動側リブ４５が突出して形成されている。この相対移動側リブ４５は、上記トレイ３に形成された一対の相対移動側ガイド突起３７ａ，ｂと対向するようにアッパーケース４に形成されている。この相対移動側リブ４５は、トレイ３がディスク載置位置からディスク再生位置までを移動しても、一対の相対移動側ガイド突起３７ａ，ｂと対向するように、トレイ３の搬送方向（搬入方向および搬出方向の両方向）に延在して形成されている。つまり、この相対移動側リブ４５は、少なくとも一対の相対移動側ガイド突起３７ａ，ｂのディスク装置１−２、ここではアッパーケース４に対する移動範囲に形成されている。【００５４】
そして、ディスク装置１−２が組み立てられた状態では、図９−１および図９−２に示すように、シャーシ２の一対の固定側ガイド突起２７ａ，ｂとの間にトレイ３の固定側リブ３６が挟み込まれ、トレイ３の一対の相対移動側ガイド突起３７ａ，ｂとの間にアッパーケース４の相対移動側リブ４５が挟み込まれる。つまり、一対の相対移動側ガイド突起３７ａ，ｂおよび相対移動側リブ４５、一対の固定側ガイド突起２７ａ，ｂおよび固定側リブ３６は、それぞれ一対のガイド突起とその間に挟み込まれるリブとからなるスライド機構を構成し、ディスク装置１−２には２つのスライド機構が形成される。【００５５】
このディスク装置１−２では、トレイ３がディスク載置位置に位置する時、固定側リブ３６および相対移動側リブ４５がそれぞれ一対の固定側ガイド突起２７ａ，ｂとの間および一対の相対移動側ガイド突起３７ａ，ｂとの間に入り込んだ状態が維持される。ここで、一対の相対移動側ガイド突起３７ａ，ｂがトレイ３の搬入方向の端部近傍に形成され、一対の固定側ガイド突起２７ａ，ｂがシャーシ２の搬出方向の端部近傍に形成されている。つまり、このトレイ３がディスク載置位置に位置する時には、一対の相対移動側ガイド突起３７ａ，ｂが固定側ガイド突起２７ａ，ｂよりもディスク再生位置側に位置する。従って、トレイ３の移動中、すなわちディスク載置位置からディスク再生位置までを移動する際に、一対の相対移動側ガイド突起３７ａ，ｂが固定側ガイド突起２７ａ，ｂとディスク装置１−２の厚さ方向（図９−１参照）において重なり合うことがない。これにより、トレイ３の移動中に一対の相対移動側ガイド突起３７ａ，ｂが一対の固定側ガイド突起２７ａ，ｂとディスク装置１−２の厚さ方向において重なり合うことで、このトレイ３がディスク装置１−２の幅方向に大きく傾くことを抑制することができる。これにより、移動中のトレイ３の揺れを抑制することができる。【００５６】
また、トレイ３がディスク載置位置から移動ディスク再生位置に向かって移動時、すなわちトレイ３の移動中においても、固定側リブ３６および相対移動側リブ４５がそれぞれ一対の固定側ガイド突起２７ａ，ｂとの間および一対の相対移動側ガイド突起３７ａ，ｂとの間に入り込んだ状態が維持される。このとき、一対の相対移動側ガイド突起３７ａ，ｂは、トレイ３の移動に伴って固定側ガイド突起２７ａ，ｂに対して相対移動する。トレイ３が搬入方向への移動する際に、一対の相対移動側ガイド突起３７ａ，ｂがトレイ３の移動に伴って固定側ガイド突起２７ａ，ｂに対して離れ、トレイ３が搬出方向への移動する際に、トレイ３の移動に伴って一対の固定側ガイド突起２７ａ，ｂに対して近づく。【００５７】
さらに、トレイ３がディスク載置位置からディスク再生位置に位置する時、固定側リブ３６および相対移動側リブ４５がそれぞれ一対の固定側ガイド突起２７ａ，ｂとの間および一対の相対移動側ガイド突起３７ａ，ｂとの間に入り込んだ状態が維持される。従って、トレイ３の移動中にトレイ３は、常に、２点でディスク装置１−２の幅方向への移動が規制される。これにより、トレイ３の移動中に、ガイド突起に挟み込まれていないリブがガイド突起に挟み込まれることがない。また、トレイ３が移動中に傾くことが抑制され、相対移動側リブ４５および固定側リブ３６がディスク装置１−２内に設けられた部品と衝突することが抑制される。これらにより、移動中のトレイ３の揺れを抑制することができる。【００５８】
また、このディスク装置１−２では、一対の相対移動側ガイド突起３７ａ，ｂと相対移動側リブ４５、一対の固定側ガイド突起２７ａ，ｂと固定側リブ３６の２つのスライド機構により、幅方向への移動を規制することができる。従って、従来のディスク装置のように、リブを挟み込む一対のガイド突起を複数対必要としないので、ディスク装置１−２の小型化を図ることができる。【００５９】
以上のように、この実施例２にかかるディスク装置１−２は、ディスクに記録された情報の再生およびこのディスクへの情報の記録を行うディスク装置１−１において、ディスクを載置するディスク載置位置からこの載置されたディスクの再生記録を行うディスク再生位置までを移動するトレイ３に形成される一対の相対移動側ガイド突起３７ａ，ｂと、この一対の相対移動側ガイド突起３７ａ，ｂが挟み込み、ディスク装置１−２のうちアッパーケース４の一対の相対移動側ガイド突起３７ａ，ｂのこのディスク装置１−２に対する移動範囲に形成される相対移動側リブ４５と、ディスク装置１−２のうちシャーシ２のトレイ３と対向する位置に形成される一対の固定側ガイド突起２７ａ，ｂと、この一対の固定側突起２７ａ，ｂが入り込み、トレイ３のうち、このトレイ３の一対の固定側突起２７ａ，ｂに対する移動範囲に形成される固定側リブ３６とを備えることで、移動中のトレイ３の揺れの抑制することができ、小型化を図ることができる。
【産業上の利用可能性】
【００６０】
以上のように、この発明にかかるディスク装置は、カートリッジに収納されたディスクおよびカートリッジに収納されていないディスクのいずれにも用いることができるディスク装置に有用であり、特に、移動中のトレイの揺れの抑制する、あるいは小型化を図るのに適している。
【図１−１】
2007058167.tif 000003
【図１−２】
2007058167.tif 000004
【図２−１】
2007058167.tif 000005
【図２−２】
2007058167.tif 000006
【図３−１】
2007058167.tif 000007
【図３−２】
2007058167.tif 000008
【図４−１】
2007058167.tif 000009
【図４−２】
2007058167.tif 000010
【図５】
2007058167.tif 000011
【図６】
2007058167.tif 000012
【図７−１】
2007058167.tif 000013
【図７−２】
2007058167.tif 000014
【図７−３】
2007058167.tif 000015
【図８−１】
2007058167.tif 000016
【図８−２】
2007058167.tif 000017
【図９−１】
2007058167.tif 000018
【図９−２】
2007058167.tif 000019
【図１０−１】
2007058167.tif 000020
【図１０−２】
2007058167.tif 000021
【図１１−１】
2007058167.tif 000022
【図１１−２】
2007058167.tif 000023
【図１２−１】
2007058167.tif 000024
【図１２−２】
2007058167.tif 000025
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
ディスクに記録された情報の再生あるいは当該ディスクへの情報の記録の少なくともいずれか一方を行うディスク装置（１−１）において、
前記ディスクを載置するディスク載置位置から当該載置されたディスクの再生記録を行うディスク再生位置までを移動するトレイ（３）に形成される相対移動側突起（３３、３５）と、
前記ディスク装置（１−１）のうち、前記相対移動側突起（３３、３５）が入り込み、少なくとも当該相対移動側突起（３３、３５）の当該ディスク装置（１−１）に対する移動範囲に形成される相対移動側溝（４４，２６）と、
前記ディスク装置（１−１）のうち前記トレイ（３）と対向する位置に形成される固定側突起（２５）と、
前記トレイ（３）のうち、前記固定側突起（２５）が入り込み、少なくとも当該トレイ（３）の当該固定側突起（２５）に対する移動範囲に形成される固定側溝（３２）と、
を備え、
前記相対移動側突起（３３）および前記固定側溝（３２）は、前記トレイ（３）の対向する面にそれぞれ形成され、
前記固定側溝（３２）は、前記相対移動側突起（３３）の前記ディスク装置（１−１）に対する移動範囲と、前記ディスク装置（１−１）の厚さ方向において重なる位置に形成されることを特徴とする請求項１に記載のディスク装置（１−１）。
【請求項２】
（削除）
【請求項３】
前記相対移動側突起（３３，３５）は、前記トレイ（３）のディスク載置位置時に、前記固定側突起（２５）よりも、ディスク再生位置側に位置することを特徴とする請求項１に記載のディスク装置（１−１）。
【手続補正２】
【補正対象書類名】明細書
【補正対象項目名】０００３
【補正方法】変更
【補正の内容】
【０００３】
いて、前記ディスクを載置するディスク載置位置から当該載置されたディスクの再生記録を行うディスク再生位置までを移動するトレイに形成される相対移動側突起と、前記ディスク装置のうち、前記相対移動側突起が入り込み、少なくとも当該相対移動側突起の当該ディスク装置に対する移動範囲に形成される相対移動側溝と、前記ディスク装置のうち前記トレイと対向する位置に形成される固定側突起と、前記トレイのうち、前記固定側突起が入り込み、少なくとも当該トレイの当該固定側突起に対する移動範囲に形成される固定側溝と、を備え、前記相対移動側突起および前記固定側溝は、前記トレイの対向する面にそれぞれ形成され、前記固定側溝は、前記相対移動側突起の前記ディスク装置に対する移動範囲と、前記ディスク装置の厚さ方向において重なる位置に形成されることを特徴とする。
［００１１］
発明の効果
［００１２］
本発明にかかるディスク装置は、移動中のトレイの揺れの抑制する、あるいは小型化を図ることの少なくともいずれか一方を達成することができるという効果を奏する。
図面の簡単な説明
［００１３］
［図１−１］図１−１は、この実施例１にかかるディスク装置の要部断面図である。
［図１−２］図１−２は、図１−１のＡ部分拡大図である。
［図２−１］図２−１は、シャーシの構成例を示す図（平面図）である。
［図２−２］図２−２は、シャーシの構成例を示す図（正面図）である。
［図３−１］図３−１は、トレイの構成例（平面図）を示す図である。
［図３−２］図３−２は、図３−１のＢ−Ｂ断面図である。
［図４−１］図４−１は、アッパーケースの構成例（裏面図）を示す図である。
【手続補正３】
【補正対象書類名】明細書
【補正対象項目名】０００４
【補正方法】変更
【補正の内容】
【０００４】
［図４−２］図４−２は、図４−１のＣ−Ｃ断面図である。
［図５］図５は、ディスク載置位置時におけるディスク装置の構成例を示す図である。
［図６］図６は、ディスク再生位置時におけるディスク装置の構成例を示す図である。
［図７−１］図７−１は、シャーシの構成例を示す図（平面図）である。
［図７−２］図７−２は、シャーシの構成例を示す図（正面図）である。
［図７−３］図７−３は、相対移動側溝の断面図を示す図である。
［図８−１］図８−１は、トレイの構成例（平面図）を示す図である。
［図８−２］図８−２は、１図８−１のＤ−Ｄ断面図である。
［図９−１］図９−１は、この参考例にかかるディスク装置の要部断面図である。
［図９−２］図９−２は、図９−１のＥ部分拡大図である。
［図１０−１］図１０−１は、シャーシの構成例を示す図（平面図）である。
［図１０−２］図１０−２は、シャーシの構成例を示す図（正面図）である。
［図１１−１］図１１−１は、トレイの構成例（平面図）を示す図である。
［図１１−２］図１１−２は、図１１−１のＦ−Ｆ断面図である。
［図１２−１］図１２−１は、アッパーケースの構成例（裏面図）を示す図である。
［図１２−２］図１２−２は、図１２−１の−Ｇ断面図である。
符号の説明
［００１４］
１−１，１−２  ディスク装置
２  シャーシ
２１  搭載空間部
２２ａ〜ｄ  位置決めピン
２３ａ〜ｄ  固定穴
２４  底部
２５  固定側突起
２６  相対移動側溝
２７ａ，ｂ  固定側ガイド突起
３  トレイ
３ａ  裏面
【手続補正４】
【補正対象書類名】明細書
【補正対象項目名】０００７
【補正方法】変更
【補正の内容】
【０００７】
れる。この固定側溝は、相対移動側突起のディスク装置に対する移動範囲と、ディスク装置の厚み方向において重なる位置に形成される。
［００２０］
この実施の形態２に係るディスク装置では、上記構成を特徴とすることで、トレイがディスク載置位置からディスク再生位置まで移動する間に、固定側突起が、常に相対移動側突起のディスク装置に対する移動範囲上位置することとなる。従って、トレイがディスク載置位置からディスク再生位置まで移動する間に、相対移動側突起と固定側突起とが同一直線上にない場合と比較して、このトレイがディスク装置の幅方向に傾くことを抑制することができる。これにより、移動中のトレイの揺れをさらに抑制することができる。
［００２１］
〔実施の形態３〕
この実施の形態３に係るディスク装置は、上記実施の形態１または２に係るディスク装置において、相対移動側突起が、トレイのディスク載置位置時に、固定側突起よりも、ディスク再生位置側に位置する。
［００２２］
この実施の形態３に係るディスク装置では、上記構成を特徴とすることで、トレイの移動中に、相対移動側突起が固定側突起とディスク装置の厚さ方向において重なり合うことがない。従って、トレイの移動中に相対移動側突起が固定側突起とディスク装置の厚さ方向において重なり合うことで、このトレイがディスク装置の幅方向に大きく傾くことを抑制することができる。これにより、移動中のトレイの揺れをさらに抑制することができる。
［００２３］
【手続補正５】
【補正対象書類名】明細書
【補正対象項目名】０００８
【補正方法】変更
【補正の内容】
【０００８】
［００２４］
［００２５］
実施例１
［００２６］
図１−１および図１−２は、この実施例１にかかるディスク装置の要部断面図である。図２−１および図２−２は、シャーシの構成例を示す図である。図３−１および図３−２は、トレイの構成例を示す図である。図４−１および図４−２は、アッパーケースの構成例を示す図である。図５は、ディスク載置位置時におけるディスク装置の構成例を示す図である。図６は、ディスク再生位置時におけるディスク装置の構成例を示す図
【手続補正６】
【補正対象書類名】明細書
【補正対象項目名】００１５
【補正方法】変更
【補正の内容】
【００１５】
の構成例を示す図である。図８−１および図８−２は、トレイの構成例を示す図である。
［００４７］
図８−１および図８−２に示すように、トレイ３の一方の面、ここでは裏面３ａに固定側溝３２と相対移動側突起３５とを形成しても良い。この場合、シャーシ２には、図７−１〜図７−３に示すように、この相対移動側突起３５が入り込む相対移動側溝２６を形成する。
［００４８］
以上のように、この実施例１にかかるディスク装置１−１は、ディスクに記録された情報の再生およびこのディスクへの情報の記録を行うディスク装置１−１において、ディスクを載置するディスク載置位置からこの載置されたディスクの再生記録を行うディスク再生位置までを移動するトレイ３に形成される相対移動側突起３３と、相対移動側突起３３が入り込み、ディスク装置１−１のうちアッパーケース４の相対移動側突起３３のこのディスク装置１−１に対する移動範囲に形成される相対移動側溝４４と、ディスク装置１−１のうちシャーシ２のトレイ３と対向する位置に形成される固定側突起２５と、固定側突起２５が入り込み、トレイ３のうち、このトレイ３の固定側突起２５に対する移動範囲に形成される固定側溝３２とを備えることで、移動中のトレイ３の揺れを抑制することができ、小型化を図ることができる。
［００４９］
次に、参考例にかかるディスク装置１−２について説明する。図９−１および図９−２は、この参考例にかかるディスク装置の要部断面図である。図１０−１および図１０−２は、シャーシの構成例を示す図である。図１１−１および図１１−２は、トレイの構成例を示す図である。図１２−１および図１２−２は、アッパーケースの構成例を示す図である。図９−１〜図１２−２に示す参考例にかかるディスク装置１−２が図１−１〜図６に示す実施例１にかかるディスク装置１−１と異なる点は、突起が溝に入り込む構成であるスライド機構の代わりに、リブが一対のガイド突起の間に挟み込まれる固定であるスライド機構を用いた点である。なお、この参考例にかかるディスク装置１−２の基本的構成のうち、実施例１にかかるディスク装置１−１の基本的構成と同一部分（図１−１〜図６と図９−１〜図１２−２において同一符号部分）は、簡略化あるいは省略して説明する。
【手続補正７】
【補正対象書類名】明細書
【補正対象項目名】００１８
【補正方法】変更
【補正の内容】
【００１８】
ィスク装置１−２の厚さ方向（図９−１参照）において重なり合うことがない。これにより、トレイ３の移動中に一対の相対移動側ガイド突起３７ａ，ｂが一対の固定側ガイド突起２７ａ，ｂとディスク装置１−２の厚さ方向において重なり合うことで、このトレイ３がディスク装置１−２の幅方向に大きく傾くことを抑制することができる。これにより、移動中のトレイ３の揺れを抑制することができる。
［００５６］
また、トレイ３がディスク載置位置から移動ディスク再生位置に向かって移動時、すなわちトレイ３の移動中においても、固定側リブ３６および相対移動側リブ４５がそれぞれ一対の固定側ガイド突起２７ａ，ｂとの間および一対の相対移動側ガイド突起３７ａ，ｂとの間に入り込んだ状態が維持される。このとき、一対の相対移動側ガイド突起３７ａ，ｂは、トレイ３の移動に伴って固定側ガイド突起２７ａ，ｂに対して相対移動する。トレイ３が搬入方向への移動する際に、一対の相対移動側ガイド突起３７ａ，ｂがトレイ３の移動に伴って固定側ガイド突起２７ａ，ｂに対して離れ、トレイ３が搬出方向への移動する際に、トレイ３の移動に伴って一対の固定側ガイド突起２７ａ，ｂに対して近づく。
［００５７］
さらに、トレイ３がディスク載置位置からディスク再生位置に位置する時、固定側リブ３６および相対移動側リブ４５がそれぞれ一対の固定側ガイド突起２７ａ，ｂとの間および一対の相対移動側ガイド突起３７ａ，ｂとの間に入り込んだ状態が維持される。従って、トレイ３の移動中にトレイ３は、常に、２点でディスク装置１−２の幅方向への移動が規制される。これにより、トレイ３の移動中に、ガイド突起に挟み込まれていないリブがガイド突起に挟み込まれることがない。また、トレイ３が移動中に傾くことが抑制され、相対移動側リブ４５および固定側リブ３６がディスク装置１−２内に設けられた部品と衝突することが抑制される。これらにより、移動中のトレイ３の揺れを抑制することができる。
［００５８］
また、このディスク装置１−２では、一対の相対移動側ガイド突起３７ａ，ｂと相対移動側リブ４５、一対の固定側ガイド突起２７ａ，ｂと固定側リブ３６の２つのスライド機構により、幅方向への移動を規制することができる。従って、従来のディスク装置のように、リブを挟み込む一対のガイド突起を複数対必要としないので、ディスク装置１−２の小型化を図ることができる。
［００５９］
以上のように、この参考例にかかるディスク装置１−２は、ディスクに記録された情
【国際調査報告】
2007058167.tif 000026
2007058167.tif 000027
2007058167.tif 000028
2007058167.tif 000029